(57)【要約】【課題】上位の管理サーバの放電指示によって蓄電池からの放電運転中に上位の管理サーバとの通信が遮断された場合に、系統電圧の上昇を抑えて系統電力の安定化を図るとともに、発電装置の電力ロスの発生を抑えることができる蓄電システム及び蓄電池の放電制御方法を提供する。【解決手段】少なくとも系統からの商用電力を蓄える蓄電池５０と、蓄電池５０の放電時および充電時の電力変換を行うパワーコンディショナ１００と、蓄電池５０の充放電制御を行うコントローラ２００と、を具備し、コントローラ２００は、上位の管理サーバ２から遠隔放電指令を受けて系統側への放電運転中に管理サーバ２との通信が遮断され、かつ、放電運転中の系統電圧Ｖが所定電圧Ｖ１以上となった場合に、遠隔放電指令による放電運転を停止して所定の運転に切り替える制御を行う。【選択図】図１
2019062619.tif 000002
【特許請求の範囲】
【請求項１】
少なくとも系統からの商用電力を蓄える蓄電池と；
前記蓄電池の放電時および充電時の電力変換を行う電力変換装置と；
前記蓄電池の充放電制御を行う制御装置と；
を具備する蓄電システムであって、
前記制御装置は、上位の管理サーバから遠隔放電指令を受けて前記系統側への放電運転中に前記管理サーバとの通信が遮断され、かつ、放電運転中の系統電圧が所定電圧以上となった場合に、前記遠隔放電指令による放電運転を停止して所定の運転に切り替える制御を行う蓄電システム。
【請求項２】
前記所定電圧は、前記系統に接続される発電装置の発電運転の抑制が開始される抑制電圧未満の値である請求項１に記載の蓄電システム。
【請求項３】
前記制御装置は、前記遠隔放電指令による放電運転中の動作ログを記憶し、前記管理サーバとの通信回復後、前記管理サーバに前記動作ログを通知する請求項１または２に記載の蓄電システム。
【請求項４】
前記制御装置は、上位の管理サーバから遠隔放電指令を受けて前記系統側への放電運転中に前記管理サーバとの通信が遮断された場合、該放電運転を一定時間継続し、その後、放電運転中の系統電圧が所定電圧以上となった場合に、前記遠隔放電指令による放電運転を停止して所定の運転に切り替える制御を行う請求項１〜３のいずれか一つに記載の蓄電システム。
【請求項５】
少なくとも系統からの商用電力を蓄える蓄電池と；
前記蓄電池の放電時および充電時の電力変換を行う電力変換装置と；
前記蓄電池の充放電制御を行う制御装置と；
を具備する蓄電システムにおける蓄電池の放電制御方法であって、
前記制御装置は、上位の管理サーバから遠隔放電指令を受けて前記系統側への放電運転中に前記管理サーバとの通信が遮断され、かつ、放電運転中の系統電圧が所定電圧以上となった場合に、前記遠隔放電指令による放電運転を停止して所定の運転に切り替える制御を行う蓄電池の放電制御方法。
【発明の詳細な説明】
【技術分野】
【０００１】
本発明の実施形態は、蓄電システム及び蓄電池の放電制御方法に関する。
【背景技術】
【０００２】
近年、太陽光発電技術の普及に伴い、一般家庭でも太陽光パネル等の発電設備と蓄電池とを家屋に設置して、発電および充電を行い、電力を利用する蓄電システムが増えている。蓄電システムは、商用電源からの電力供給が停止した停電時に、蓄電池に蓄えられた電力を負荷に供給するよう制御を実行する。
【０００３】
一方、蓄電システムは、インターネットなどのネットワークに接続され、他の蓄電システムや発電リソースなどとのエネルギー供給及び消費をバランス良く分散管理を行う統合エネルギーマネジメントシステムでも管理されるようになっている。蓄電システムは、この統合エネルギーマネジメントシステムから蓄電池から系統電源側への放電指示があった場合、蓄電池から系統電源側にエネルギー供給する機能を有する。
【０００４】
なお、特許文献１には、再生可能エネルギーを利用して交流電力を発電し、発電した電力を系統電源と連系して供給する発電手段と、蓄電池の充電手段と、系統電源の異常を検出したとき、発電手段、充電手段および宅内負荷を系統電源から切り離す第１の開閉手段と、発電手段と充電手段を接続した状態を維持しつつ宅内負荷を発電手段から切り離すための第２の開閉手段と、を備え、再生可能エネルギーを利用して発電する電源が電力系統から解列された状態でも電気自動車の蓄電池を安定して行うことが可能な系統連系装置が記載されている。
【先行技術文献】
【特許文献】
【０００５】
【特許文献１】特開２０１４−２７８５６号公報
【発明の概要】
【発明が解決しようとする課題】
【０００６】
上述したように、統合エネルギーマネジメントシステムなどの上位の管理サーバが蓄電システムに対して蓄電池の放電指示を行った場合、蓄電システムは系統電源側に電力を供給する放電運転を行う。しかし、この放電運転中に、上位の管理サーバと蓄電システムとの間の通信が遮断された場合、蓄電システムは、上位の管理サーバによる管理から外れてしまう。
【０００７】
上位の管理サーバによる放電運転中であって、上位の管理サーバと通信が遮断された状態で放電運転を行っている場合に、系統電力の需要が少なくなると系統電圧は上昇する。系統電圧が上昇すると、系統に発電電力を供給している太陽光パネルなどの発電装置の運転を抑制させる抑制電圧に達する。系統電圧が抑制電圧以上になると、発電装置は抑制運転をせざるを得ない。この場合、蓄電池は系統への放電により系統電圧が上昇して系統電力が不安定になり、しかも、発電装置は抑制運転によって電力ロスが発生することになる。
【０００８】
本発明が解決しようとする課題は、上位の管理サーバの放電指示によって蓄電池からの放電運転中に上位の管理サーバとの通信が遮断された場合に、系統電圧の上昇を抑えて系統電力の安定化を図るとともに、発電装置の電力ロスの発生を抑えることができる蓄電システム及び蓄電池の放電制御方法を提供することである。
【課題を解決するための手段】
【０００９】
実施形態に係る蓄電システムは、少なくとも系統からの商用電力を蓄える蓄電池と、前記蓄電池の放電時および充電時の電力変換を行う電力変換装置と、前記蓄電池の充放電制御を行う制御装置と、を具備する。前記制御装置は、上位の管理サーバから遠隔放電指令を受けて前記系統側への放電運転中に前記管理サーバとの通信が遮断され、かつ、放電運転中の系統電圧が所定電圧以上となった場合に、前記遠隔放電指令による放電運転を停止して所定の運転に切り替える制御を行う。
【図面の簡単な説明】
【００１０】
【図１】図１は、実施形態に係る蓄電システムの構成の一例を示す図である。
【図２】図２は、実施形態に係る蓄電システムが備えるコントローラの構成の一例を示す図である。
【図３】図３は、実施形態に係る蓄電システムによる蓄電池の放電制御処理手順の一例を示すフローチャートである。
【発明を実施するための形態】
【００１１】
以下で説明する実施形態に係る蓄電システム１は、少なくとも系統からの商用電力を蓄える蓄電池５０と、蓄電池５０の放電時および充電時の電力変換を行う電力変換装置（パワーコンディショナ１００）と、蓄電池５０の充放電制御を行う制御装置（コントローラ２００）と、を具備する。制御装置は、上位の管理サーバ２から遠隔放電指令を受けて系統側への放電運転中に管理サーバ２との通信が遮断され、かつ、放電運転中の系統電圧Ｖが所定電圧以上となった場合に、遠隔放電指令による放電運転を停止して所定の運転に切り替える制御を行う。
【００１２】
また、以下で説明する実施形態に係る蓄電システム１の制御装置（コントローラ２００）が制御する所定電圧は、系統に接続される発電装置（太陽光パネルＰＮ）の発電運転の抑制が開始される抑制電圧未満の値である。
【００１３】
また、以下で説明する実施形態に係る蓄電システム１が具備する制御装置（コントローラ２００）は、遠隔放電指令による放電運転中の動作ログを記憶し、管理サーバ２との通信回復後、管理サーバ２に動作ログを通知する。
【００１４】
また、以下で説明する実施形態に係る蓄電システム１が具備する制御装置（コントローラ２００）は、上位の管理サーバ２から遠隔放電指令を受けて系統側への放電運転中に管理サーバ２との通信が遮断された場合、該放電運転を一定時間継続し、その後、放電運転中の系統電圧Ｖが所定電圧以上となった場合に、遠隔放電指令による放電運転を停止して所定の運転に切り替える制御を行う。
【００１５】
また、以下で説明する実施形態に係る蓄電池の放電制御方法は、少なくとも系統からの商用電力を蓄える蓄電池５０と、蓄電池５０の放電時および充電時の電力変換を行う電力変換装置（パワーコンディショナ１００）と、蓄電池５０の充放電制御を行う制御装置（コントローラ２００）と、を具備する。制御装置は、上位の管理サーバ２から遠隔放電指令を受けて系統側への放電運転中に管理サーバ２との通信が遮断され、かつ、放電運転中の系統電圧Ｖが所定電圧以上となった場合に、遠隔放電指令による放電運転を停止して所定の運転に切り替える制御を行う。
【００１６】
以下に、本発明に係る蓄電システム及び蓄電池の放電制御方法の実施形態を図面を参照して詳細に説明する。実施形態において同一の機能を有する構成には同一の符号を付し、重複する説明を省略する。
【００１７】
（実施形態）
実施形態に係る蓄電システムは、所定の電力系統、たとえば商用電源（ＣＰ：Commercial  Power  Supply）の供給を受け、家電製品等の負荷（ＬＤ：Load）に電力を供給する。また、蓄電システムは、太陽光パネル等の自然エネルギーを利用した発電装置によって発電される電力を、電力変換装置を介して家電製品等の負荷に供給する。また、蓄電システムは、商用電源から供給される電力および発電装置によって生成される電力を、電力変換装置を介して蓄電池に蓄える。また、蓄電システムは、上位の管理サーバからの遠隔放電指令を受けて蓄電池に蓄えられた電力を、電力変換装置を介して放電して、所定の電力系統に供給する。また、蓄電システムは、上位の管理サーバ２から遠隔放電指令を受けて系統側への放電運転中に管理サーバとの通信が遮断され、かつ、放電運転中の系統電圧が所定電圧以上となった場合に、遠隔放電指令による放電運転を停止して所定の運転に切り替える制御を行う。
【００１８】
本実施形態に係る蓄電システムは、上位の管理サーバから遠隔放電指令を受けて系統側への放電運転中に管理サーバとの通信が遮断され、かつ、放電運転中の系統電圧が所定電圧以上となった場合に、遠隔放電指令による放電運転を停止して所定の運転に切り替える制御を行う。これにより、系統電圧Ｖが上昇して所定電圧以上となることを抑えて系統電力の安定化を図るとともに、発電装置の電力ロスの発生を抑えることができる。
【００１９】
［実施形態に係る蓄電システム１の構成の一例］
図１は、実施形態に係る蓄電システム１の構成の一例を示す図である。図１の例では、蓄電システム１は、ユーザ（需要家）の住宅ＨＭに設けられ、例えば屋根に設置した太陽光パネルＰＮ（発電装置）により生成される電力を、住宅ＨＭ内で消費したり、蓄電池５０に蓄えたりすることができる。
【００２０】
図１に示すように、蓄電システム１は、太陽光パネルＰＮと、接続箱ＢＸと、パワーコンディショナ１００と、コントローラ２００と、蓄電池５０と、分電盤ＤＰと、電力メータＭＴと、ホームゲートウェイ３００とを具備する。また、図１に示す蓄電システム１において、コントローラ２００は、ホームゲートウェイ３００及びインターネットなどのネットワークＮを介して上位の管理サーバ２に接続される。
【００２１】
太陽光パネルＰＮは、自然エネルギーに基づいて電力を生成することができる発電装置の一例である。太陽光パネルＰＮは、例えば、太陽電池素子（セル）を必要枚数配列し、樹脂や強化ガラスなどによりパッケージ化した太陽電池モジュールであり、ソーラーパネルとも呼ばれる。なお、太陽光パネルＰＮに用いられるセルは、どのようなセルであってもよい。例えば、太陽光パネルＰＮに用いられるセルは、シリコン系のセルや化合物系のセルや有機系のセルなど、目的に応じて種々のセルが適宜選択されてもよい。また、本実施形態では、発電装置の例として太陽光パネルＰＮを用いて説明するが、自然エネルギーを用いて電力を生成することができるものであれば、本実施形態の発電装置は、太陽光パネルに限定されない。発電装置は、たとえば、ガス、風力、水力等を用いて電力を生成する装置であってもよい。また、ガス、風力、水力等を用いて電力を生成する装置を発電装置として用いる場合、ガス、風力、水力等による発電開始のタイミングに基づいて電源制御を行う。なお、以下の記載中、太陽光発電装置をＰＶ（Photovoltaic）装置とも呼ぶ。なお、発電装置は、宅外で直接系統に接続されるものであってもよい。この場合、発電装置は、コントローラ２００による制御を受けない。
【００２２】
接続箱ＢＸは、例えば、太陽光パネルＰＮで発電した電力を集める装置である。接続箱ＢＸは、太陽光パネルＰＮからの複数の配線を１つに集約し、パワーコンディショナ１００に送信する。なお、接続箱ＢＸは、パワーコンディショナ１００と一体であってもよい。
【００２３】
パワーコンディショナ１００は、パワコン、ＰＣＳ（Power  Conditioning  System）とも称される。パワーコンディショナ１００は、太陽光パネルＰＮから接続箱ＢＸを経由して送信される電力を、住宅ＨＭ内の電気機器ＬＤなどで利用可能にする電力変換装置である。例えば、パワーコンディショナ１００は、太陽光パネルＰＮから接続箱ＢＸを経由して送信される直流電力を交流電力に変換する。また、例えば、パワーコンディショナ１００は、交流電力に変換した後、電力を住宅ＨＭ内での利用や、蓄電池５０への充電や、商用電源ＣＰへの売電などに対応する出力に調整する。
【００２４】
コントローラ２００は、パワーコンディショナ１００による充放電を制御する。また、コントローラ２００は、蓄電システム１における各種情報をユーザに通知したり、蓄電システム１に対するユーザの操作を受け付けたりする。また、コントローラ２００は、ホームゲートウェイ３００及びネットワークＮを介して上位の管理サーバ２に接続される。
【００２５】
蓄電池５０は、住宅ＨＭで用いられる二次電池（バッテリ）である。例えば、蓄電池５０は、パワーコンディショナ１００から供給される電力により充電される。また、例えば、蓄電池５０は、蓄えた電力をパワーコンディショナ１００や分電盤ＤＰを経由して住宅ＨＭ内の電気機器ＬＤ及び系統電力に供給する。なお、蓄電池５０は、充電を行うことにより電気を蓄えることができ、繰り返し充放電して使用することが出来る電池であればどのような電池であってもよい。例えば、蓄電池５０としては、リチウムイオン電池や鉛電池やニッケル水素電池など、目的に応じて種々の蓄電池が適宜選択されてもよい。また、蓄電池５０は、電力を蓄える機能を有すればどのような構成であってもよく、例えば、電気自動車やプラグインハイブリッド自動車等であってもよい。
【００２６】
分電盤ＤＰは、住宅ＨＭの配線に電気を分ける装置である。例えば、分電盤ＤＰは、漏電遮断器や配線用遮断器等の種々の機器を含む。例えば、分電盤ＤＰは、パワーコンディショナ１００で交流に変換された電力を住宅ＨＭの電気機器ＬＤに供給したり、太陽光パネルＰＮにおいて発電された電力の余剰分を電力会社の商用電源ＣＰへ供給したりする。また、例えば、分電盤ＤＰは、買電時、すなわち商用電源ＣＰからの電力供給を受けている時は、商用電源ＣＰから供給された電力を住宅ＨＭの電気機器ＬＤに供給する。
【００２７】
電力メータＭＴは、商用電源ＣＰ側へ供給した電力、すなわち売電した電力や、商用電源ＣＰから供給された電力、すなわち商用電源ＣＰから買電した電力を計量するメータである。例えば、電力メータＭＴは、売電した電力を計量するメータと、買電した電力を計量するメータとを各々含んでもよい。例えば、電力メータＭＴは、分電盤ＤＰと商用電源ＣＰとの間に設けられ、売電した電力を計量したり、買電した電力を計量したりする。
【００２８】
ホームゲートウェイ３００は、蓄電システム１の宅内機器と外部のネットワークＮとの間を通信接続する。
【００２９】
管理サーバ２は、ネットワークＮに接続されて蓄電システム１を管理する。管理サーバ２は、蓄電システム１のエネルギー制御状態を管理する。また、管理サーバ２は、図示しない他のエネルギーリソースとエネルギー消費とのバランス調整を受けて蓄電システム１に対して売電の指示や買電の制限を指示できる。例えば、管理サーバ２は、系統電力の需要があった場合、蓄電システム１に対して蓄電池５０に蓄えられた電力の放電を指示する遠隔放電指令を送信する。遠隔放電指令には、放電電力量及び放電電力を含む。
【００３０】
［コントローラ２００の構成の一例］
図２は、実施形態に係る蓄電システム１が備えるコントローラ２００の構成の一例を示す図である。図２には、実施形態に係るコントローラ２００の構成のうち、蓄電池５０の放電制御処理に関連する構成のみを図示し、他のコントローラ２００の構成については図示を省略する。図２に示すように、コントローラ２００は、出力部２１０と、入力部２２０と、通信部２３０と、制御部２４０と、記憶部２５０と、を有する。
【００３１】
出力部２１０は、音声または画像によって情報を表示する構成及び機能を有してよい。例えば、出力部２１０は、情報を表示するモニタであってもよいし、情報を音として出力するスピーカであってもよい。出力部２１０はたとえば、パワーコンディショナ１００から受信した各種情報を出力する。例えば、出力部２１０は、蓄電池５０の残量に関する情報を表示する。また、出力部２１０は、上位の管理サーバ２との接続状態や上位の管理サーバ２による管理状態に関する情報を表示する。
【００３２】
入力部２２０は、出力部２１０が出力するアラートやメッセージに応じた入力を受けつける。たとえば、ユーザは、入力部２２０から、アラートやメッセージに対する指示を入力することができる。入力部２２０は、たとえば、キーボード、タッチパネル、マイクロフォン等の外部からの入力を受け付けることができる装置である。なお、コントローラ２００は、パワーコンディショナ１００と一体であってもよい。
【００３３】
通信部２３０は、たとえば、所定の通信回路等によって実現される。たとえば、通信部２３０は、パワーコンディショナ１００及びホームゲートウェイ３００と通信可能である。
【００３４】
記憶部２５０は、たとえば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部２５０は、図２に示すように、所定電圧Ｖ１及び動作ログＤ１を有する。所定電圧Ｖ１は、発電装置の系統への発電出力が抑制される系統の抑制電圧Ｖ２未満の値である。所定電圧Ｖ１は、通常の安定した系統電圧よりも大きく、抑制電圧Ｖ２よりも小さいが、抑制電圧Ｖ２に近い値で、系統電圧Ｖが抑制電圧Ｖ２に近づいていることを予兆させる値が好ましい。動作ログＤ１は、管理サーバ２による遠隔放電指令による放電運転中の動作ログを記憶する。
【００３５】
制御部２４０は、パワーコンディショナ１００の各部の動作および機能を制御する。制御部２４０は、各種の処理手順などを規定したプログラムを記憶する内部メモリを有し、種々の処理を制御する。たとえば、制御部２４０は、ＡＳＩＣ（Application  Specific  Integrated  Circuit）、ＦＰＧＡ（Field  Programmable  Gate  Array）、ＣＰＵ（Central  Processing  Unit）、ＭＰＵ（Micro  Processing  Unit）などであってもよい。図２の例では、要求受付部２４１、充放電制御部２４２、通信接続状態検出部２４３及び動作ログ記憶制御部２４４を有する。
【００３６】
要求受付部２４１は、入力部２２０及び管理サーバ２からの要求を受け付ける。例えば、要求受付部２４１は、管理サーバ２から遠隔放電指令を受け付ける。
【００３７】
充放電制御部２４２は、太陽光パネルＰＮの発電状態、負荷ＬＤの電力消費状態、蓄電池５０の蓄電状態に応じてパワーコンディショナ１００の充放電処理を制御する。また、充放電制御部２４２は、管理サーバ２からの遠隔放電指令に従って蓄電池５０から系統への放電制御を行う。さらに、充放電制御部２４２は、管理サーバ２から遠隔放電指令を受けて系統側への放電運転中に管理サーバ２との通信が遮断され、かつ、放電運転中の系統電圧Ｖが所定電圧Ｖ１以上となった場合に、遠隔放電指令による放電運転を停止して所定の運転に切り替える制御を行う。所定の運転とは、管理サーバ２からの指令を受けた管理状態での運転ではなく、例えば、上述したように、太陽光パネルＰＮの発電状態、負荷ＬＤの電力消費状態、蓄電池５０の蓄電状態に応じてパワーコンディショナ１００の充放電処理を制御する通常運転である。
【００３８】
通信接続状態検出部２４３は、管理サーバ２とコントローラ２００との間の通信接続状態を検出する。通信接続状態検出部２４３は、例えば、ホームゲートウェイ３００が所定間隔毎にコントローラ２００側に送るポーリング送信を受信しない場合に、通信の遮断を検出する。また、ホームゲートウェイ３００と管理サーバ２との間は、定期的に通信確認をしており、ホームゲートウェイ３００と管理サーバ２との通信が遮断された場合、ホームゲートウェイ３００は、コントローラ２００に通信の遮断を通知する。この通知により、通信接続状態検出部２４３は、通信の遮断を検出することができる。
【００３９】
動作ログ記憶制御部２４４は、管理サーバ２から遠隔放電指令を受けて系統側への放電運転中に管理サーバ２との通信が遮断されてから、通信が回復するまでに記録された動作ログＤ１の記憶制御を行う。また、動作ログ記憶制御部２４４は、管理サーバ２との通信が回復した後に、記録された動作ログＤ１を管理サーバ２に送信する。
【００４０】
［蓄電システム１による蓄電池５０の蓄電池の放電制御処理手順の一例］
図３は、実施形態に係る蓄電システム１による蓄電池５０の放電制御処理手順の一例を示すフローチャートである。図３に示すように、まず、要求受付部２４１は、管理サーバ２から、蓄電池５０に対する遠隔放電指令を受け付けたか否かを判定する（ステップＳ１０１）。遠隔放電指令を受け付けていない場合（ステップＳ１０１，Ｎｏ）、この判定処理を繰り返す。一方、遠隔放電指令を受け付けた場合（ステップＳ１０１，Ｙｅｓ）、充放電制御部２４２は、蓄電池５０から、遠隔放電指令が示す放電電力で、遠隔放電指令が示す放電電力量を系統に放電する放電運転を開始する（ステップＳ１０２）。
【００４１】
その後、通信接続状態検出部２４３は、管理サーバ２とコントローラ２００との間の通信が遮断されたか否かを判定する（ステップＳ１０３）。通信が遮断されていない場合（ステップＳ１０３，Ｎｏ）、さらに放電が終了したか否かを判定する（ステップＳ１０４）。放電が終了しない場合（ステップＳ１０４，Ｎｏ）、ステップＳ１０３に戻り、放電が終了した場合（ステップＳ１０４，Ｙｅｓ）には、本処理を終了する。
【００４２】
一方、通信が遮断された場合（ステップＳ１０３，Ｙｅｓ）、動作ログ記憶制御部２４４は、動作ログＤ１の記憶を開始する（ステップＳ１０５）。その後、一定時間を経過したか否かを判定する（ステップＳ１０６）。一定時間を経過しない場合（ステップＳ１０６，Ｎｏ）には、ステップＳ１０６の判定処理を繰り返す。この一定時間とは、例えば、ホームゲートウェイ３００のコントローラ２００に対するポーリング送信間隔である。
【００４３】
一定時間を経過した場合（ステップＳ１０６，Ｙｅｓ）、さらに、遮断していた通信が回復したか否かを判定する（ステップＳ１０７）。通信が回復しない場合（ステップＳ１０７，Ｎｏ）には、さらに系統電圧Ｖが所定電圧Ｖ１以上となったか否かを判定する（ステップＳ１０８）。系統電圧Ｖが所定電圧Ｖ１以上でない場合（ステップＳ１０８，Ｎｏ）には、放電運転を継続し、ステップＳ１０７に戻って通信が回復したか否かを判定する処理を行う。放電運転を継続するのは、系統電圧Ｖが所定電圧Ｖ１未満であり、系統電力に対する需要がある状態だからである。また、太陽光パネルＰＮなどの発電装置は抑制電圧Ｖ２となっていないため、発電ロスの発生を抑制できる。また、この場合、系統電圧Ｖも安定状態である。
【００４４】
一方、系統電圧Ｖが所定電圧Ｖ１以上である場合（ステップＳ１０８，Ｙｅｓ）、充放電制御部２４２は、放電運転から所定の運転に切り替えた後（ステップＳ１０９）、ステップＳ１０７に移行して、通信が回復したか否かを判定する処理を行う。
【００４５】
通信が回復した場合（ステップＳ１０７，Ｙｅｓ）、動作ログ記憶制御部２４４は、記憶部２５０に記憶していた動作ログＤ１を管理サーバ２に通知し（ステップＳ１１０）、本処理を終了する。
【００４６】
本実施形態では、上位の管理サーバ２から遠隔放電指令を受けて系統側への放電運転中に管理サーバ２との通信が遮断され、かつ、放電運転中の系統電圧Ｖが所定電圧Ｖ１以上となった場合に、遠隔放電指令による放電運転を停止して所定の運転に切り替える制御を行っている。この結果、通信が遮断された場合の放電運転では、系統電圧Ｖが抑制電圧Ｖ２に達する前に停止されて通常の所定の運転に切り替えられる。このため、系統電圧Ｖは、抑制電圧Ｖ２まで上昇することがなく、系統電力が安定するとともに、発電装置の発電が抑制されず発電ロスが発生しない。
【００４７】
また、本実施形態では、所定電圧Ｖ１を抑制電圧Ｖ２に近い予兆電圧とすることによって、放電運転の継続を可能な限り行うとともに、系統電圧Ｖが抑制電圧Ｖ２に達することを抑止することができる。
【００４８】
さらに、本実施形態では、遠隔放電指令による放電運転中の動作ログＤ１を記憶し、管理サーバ２との通信回復後、管理サーバ２に動作ログＤ１を通知するようにしている。この結果、管理サーバ２は、放電運転中のトラブル等の情報を確実に把握することができる。
【００４９】
また、本実施形態では、上位の管理サーバ２から遠隔放電指令を受けて系統側への放電運転中に管理サーバ２との通信が遮断された場合、該放電運転を一定時間継続し、その後、放電運転中の系統電圧Ｖが所定電圧Ｖ１以上となった場合に、遠隔放電指令による放電運転を停止して所定の運転に切り替える制御を行うようにしている。この通信の遮断後に一定時間、放電運転を継続することによって、遠隔放電指令に対応する放電運転を安定して行うことができる。また、管理サーバ２から遠隔放電指令を受けて系統側へ放電運転中であっても系統の電圧が上昇することを自立的に抑制することができる。なお、本実施形態では管理サーバ２との通信が遮断した場合に系統電圧Ｖが所定電圧Ｖ１以上となるか否かを判定しているが、管理サーバ２から遠隔放電指令を受けて系統側へ放電を開始してから系統電圧Ｖが所定電圧Ｖ１以上となるか否かを判定してもよい。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１  蓄電システム
２  管理サーバ
５０  蓄電池
１００  パワーコンディショナ
２００  コントローラ
２１０  出力部
２２０  入力部
２３０  通信部
２４０  制御部
２４１  要求受付部
２４２  充放電制御部
２４３  通信接続状態検出部
２４４  動作ログ記憶制御部
２５０  記憶部
３００  ホームゲートウェイ
ＢＸ  接続箱
ＣＰ  商用電源
ＤＰ  分電盤
Ｄ１  動作ログ
ＨＭ  住宅
ＬＤ  電気機器（負荷）
ＭＴ  電力メータ
Ｎ  ネットワーク
ＰＮ  太陽光パネル
Ｖ  系統電圧
Ｖ１  所定電圧
【図１】
2019062619.tif 000003
【図２】
2019062619.tif 000004
【図３】
2019062619.tif 000005